(57)【要約】【課題】軸を有さないキャップの蓋体への装着構造で容器の破損を防止し、キャップの着脱、蒸気排出量の調節が簡便にできる電子レンジ調理用容器を提供すること。【解決手段】電子レンジ調理用容器１０は、キャップ４０の爪部４４が蓋体３０の３つの切欠部３４ａに嵌められ、キャップ４０が回されることによって、キャップ４０が蓋体３０に取付けられるという、軸を有さない単純な装着構造であるため、キャップ４０の着脱作業が容易で、キャップに軸があることによる容器の破損を防止することができる。キャップ４０を回すことで蒸気排出口３６、４６の重なり具合を調整できるため、蒸気排出量の調節を簡便に行うことができる。【選択図】図１
2013034692.tif 000002
【特許請求の範囲】
【請求項１】
収納部を有する容器本体、該容器本体に嵌合され、上部に第一凹部、該第一凹部の内側に第二凹部、及び該第二凹部の中心に第三凹部を具える蓋体、及び前記第一凹部の範囲内に取付けられるキャップを具え、
前記第一凹部は、前記第二凹部の周りに蓋体蒸気排出口を具え、
前記第二凹部の周壁の上部は、少なくとも１つの切欠部を有する環状突部を具え、
前記キャップは、前記第三凹部に嵌合するキャップ凹部を具え、前記蓋体と向かい合う前記キャップ凹部の周りに前記切欠部に対応するＬ字型の爪部と、前記第一凹部と対応する面にキャップ蒸気排出口を具え、
前記キャップ凹部が前記第三凹部に嵌められるとともに、前記Ｌ字型の爪部が前記切欠部に嵌められ、前記キャップが回されることによって該キャップが前記蓋体に取付けられることを特徴とする、
電子レンジ調理用容器。
【請求項２】
前記蓋体蒸気排出口及びキャップ蒸気排出口が複数設けられている、請求項１の電子レンジ調理用容器。
【請求項３】
前記第一凹部の底面に複数の調節用凹部が設けられ、前記第一凹部と向かい合う前記キャップ凹部の周りの面に前記調節用凹部と嵌合する少なくとも１つの調節用凸部が設けられている、請求項１又は２の電子レンジ調理用容器。
【請求項４】
前記キャップが前記蓋体に取付けられている状態で前記Ｌ字型の爪部が環状突部に当たるまで、上方向に相対移動が可能である、請求項１から３のいずれかの電子レンジ調理用容器。
【請求項５】
前記キャップ凹部の内側にリブ状のつまみ部が設けられている、請求項１から４のいずれかの電子レンジ調理用容器。
【請求項６】
前記環状突部の一方の端部が、前記第２凹部の底面まで連続して閉じられている、請求項１から５のいずれかの電子レンジ調理用容器。
【発明の詳細な説明】
【技術分野】
【０００１】
本発明は、電子レンジで調理可能な容器であって、電子レンジでの加熱調理のときに、蓋体に具えられるキャップによって、容器内部に発生する蒸気の容器外部への排出加減を調節することができるものに関する。
【背景技術】
【０００２】
近年、電子レンジ調理用容器（以下、単に「容器」ということがある。）は、電子レンジでの加熱調理の際、容器内部から発生する蒸気を適切に排出し、容器内部の具材を蒸気によっておいしく調理するとともに、容器内部の圧力を調整することができるキャップを蓋体に具えるものが主流となってきている。このようなキャップの原理は、キャップが蓋体に嵌合しており、容器内部から発生する蒸気によってキャップが押上げられ、容器の外部に蒸気を排出するというものである。一方で、キャップ及び蓋体が蒸気排出口を有し、キャップを回すことによってキャップと蓋体との蒸気排出口の重なり具合を調整し、加熱調理時の蒸気排出量を調節できる機能を具えている容器もある。このようなキャップを有する容器の例として、以下に挙げるようなものがある。
【先行技術文献】
【特許文献】
【０００３】
【特許文献１】特開平０３−６９４８２
【特許文献２】特表２００４−５０４９０２
【特許文献３】特開２００４−３３７３０２
【０００４】
特許文献１には、蓋体の上面に凹部を形成し、凹部の中央に突出軸を設け、突出軸の周囲に複数個のそれぞれ異なる大きさの蒸気排出口を設け、突出軸に抜けないように嵌合装着される蒸気排出口を有するキャップを回すことによって、キャップと蓋体の蒸気排出口を合わせ、蒸気の排出量を調節することができる電子レンジ調理用容器が開示されている。また、キャップを回すときにクリック感が生ずるよう凹部上面とキャップの底面とに適宜嵌合する凹凸部を設けることができる旨も開示されている。
特許文献２には、特許文献１と同じように、軸に装着される、又は、軸を有するキャップが蓋体に取付けられ、キャップと蓋体の蒸気排出口とを合わせ、蒸気の排出量を調節することができる電子レンジ調理用容器が開示されている。特許文献２によれば、キャップを蓋体にキー及びキー穴式技術によって、取外し可能に取付けることができるとされている。
特許文献３には、蓋体の上部に凹部を具え、側面に蓋体凹部周壁、中心に蓋体上部嵌合部を具え、キャップは、側面にキャップ周壁、中心にキャップ嵌合部を具え、蓋体上部嵌合部が、蓋体上部段部、蓋体上部壁部、及び蓋体上部環状突部からなり、キャップ嵌合部が、キャップ段部、キャップ壁部、及びキャップ係合部からなり、蓋体上部嵌合部とキャップ嵌合部が嵌合一体化される電子レンジ調理用容器が開示されている。また、蓋体上部嵌合部及びキャップ嵌合部の周りに開口部を設けることができる旨開示されている。特許文献３によれば、電子レンジでの加熱時に、容器内部の蒸気圧が高まると、キャップが自動的に上方に押上げられ、容器内部の蒸気が自動的に排出され、加熱後は、調理前と同じ嵌着状態に戻り、食品の汁が漏れたり、埃や塵が容器内部に混入することを防ぐことができるとされ、また、キャップを回転させ、キャップと蓋体の蒸気排出口の重なり具合を調整することで、容器内部の蒸気を容器外部に直接排出でき、その排出量を調節することもできるとされている。
【０００５】
特許文献１や２の容器の場合、キャップが軸に嵌合されるという構成であるため、容器の収納時や使用時に、蓋体の上部より出っ張っている軸が嵩張り、障害となるだけでなく、突出した軸部分が破損しやすいという問題がある。また、軸を回すという構成であるため、通常、細い軸を指先でつまみ回さなければならず、力が伝わり難いため、キャップを回し難いという問題もある。
また、特許文献３の容器の場合、蓋体嵌合部とキャップ嵌合部を嵌合させる構成であるため、キャップの脱着が可能ではあるが、容易に脱着することはできず、また、プラスチックシートを用いているため、繰返しの使用、すなわち、繰返し脱着し、洗浄することによって変形し、機能を果たさなくなる恐れがあるため、何度も繰返して使用することに適していないという問題がある。
【発明の概要】
【発明が解決しようとする課題】
【０００６】
そこで、本発明は、前述した従来技術の問題点に鑑み、軸を有さないキャップの蓋体への装着構造で容器の破損を防止し、キャップの着脱、及び加熱調理時の蒸気の排出量の調節が簡便にできる電子レンジ調理用容器を提供することをその目的とする。
【課題を解決するための手段】
【０００７】
本発明は、収納部を有する容器本体、容器本体に嵌合され、上部に第一凹部、第一凹部の内側に第二凹部、及び第二凹部の中心に第三凹部を具える蓋体、及び前記第一凹部の範囲内に取付けられるキャップを具え、前記第一凹部は、前記第二凹部の周りに蓋体蒸気排出口を具え、前記第二凹部の周壁の上部は、少なくとも１つの切欠部を有する環状突部を具え、前記キャップは、前記第三凹部に嵌合するキャップ凹部を具え、前記蓋体と向かい合う前記キャップ凹部の周りに前記切欠部に対応するＬ字型の爪部と、前記第一凹部と対応する面にキャップ蒸気排出口を具え、前記キャップ凹部が前記第三凹部に嵌められるとともに、前記Ｌ字型の爪部が前記切欠部に嵌められ、前記キャップが回されることによってキャップが前記蓋体に取付けられることを特徴とする電子レンジ調理用容器によって前記課題を解決した。
【０００８】
また、蓋体蒸気排出口及びキャップ蒸気排出口が複数設けられている構成とすることが好ましい。
【０００９】
また、第一凹部の底面に複数の調節用凹部が設けられ、第一凹部と向かい合うキャップ凹部の周りの面に調節用凹部と嵌合する少なくとも１つの調節用凸部が設けられていることが好適である。
【００１０】
また、キャップが蓋体に取付けられている状態でＬ字型の爪部が環状突部に当たるまで、上方向に相対移動が可能である構成とすることが好ましい。
【００１１】
また、キャップ凹部の内側にリブ状のつまみ部が設けられていることがよい。
【００１２】
また、環状突部の一方の端部が、第２凹部の底面まで連続して閉じられている構成とすることが好適である。
【発明の効果】
【００１３】
請求項１の発明によれば、蓋体の上部の第一凹部の範囲内であって、キャップ凹部が蓋体の第三凹部に嵌められるとともに、Ｌ字型の爪部が切欠部に嵌められ、キャップが回されることによってキャップが蓋体に取付けられるという構成であるため、軸を有さない取付構造であり、軸があることによる容器の破損を防ぐことができる。また、Ｌ字型の爪部が切欠部に嵌められ、キャップが回されることによって、Ｌ字型の爪部が第二凹部の周壁の上部に設けられた環状突部の下部にスライドし、Ｌ字型の爪部と環状突部とが重なることによって、キャップが蓋体に取付けられるという構成であるため、キャップを回すだけで着脱作業を行うことができる。このため、キャップの着脱作業が簡便であり、キャップを外して洗浄し、容器を清潔に保つことができ、使用時には、キャップを容易に取付けることができるため繰返しの使用に適している。また、キャップを回すことで、蓋体蒸気排出口とキャップ蒸気排出口との重なり具合、すなわち、両蒸気排出口の全閉、半開、全開といった開口具合を調整できるため、電子レンジでの加熱調理時の蒸気の排出量を、段階的に調節することができる。
【００１４】
また、請求項２のように、蓋体蒸気排出口及びキャップ蒸気排出口を複数設け、蓋体蒸気排出口とキャップ蒸気排出口との重なり具合を複数の排出口で調整できる構成としてもよく、さらに、請求項３のように、第一凹部の底面に複数の調節用凹部が設けられ、第一凹部と向かい合うキャップ凹部の周りの面に調節用凹部と嵌合する少なくとも１つの調節用凸部が設けられている構成とすれば、蓋体蒸気排出口とキャップ蒸気排出口との重なり具合を凹凸部の嵌合に合わせて、カチカチとクリックするように、段階的に調節することができ、所定の蒸気排出量を確実に実現することができる。
【００１５】
また、請求項４のように、キャップが蓋体に取付けられている状態Ｌ字型の爪部が環状突部に当たるまで上方向に相対移動が可能である構成とすれば、蓋体及びキャップの蒸気排出口の重なり具合が全閉状態であっても、電子レンジで加熱調理した際に発生する蒸気が、蓋体蒸気排出口を通じてキャップを押し上げ、キャップと蓋体の第一凹部にできる隙間から容器外部へ出ていくため、加熱調理時の容器内部の蒸気圧の異常な高まりを抑え、蓋体やキャップが蒸気圧により不用意に外れたり、具材や汁が容器の外に飛び散ることを防ぐことができる。
【００１６】
また、請求項５のように、キャップ凹部の内側にリブ状のつまみ部が設けられている構成とすれば、軸を有するキャップの取付構造に比べて、キャップを回すことが容易に行えるだけでなく、つまみ部をキャップの外側に配置する場合に比べて、つまみ部の出っ張りを防ぐことができる。
【００１７】
また、請求項６のように、環状突部の一方の端部が、第２凹部の底面まで連続して閉じられている構成とすれば、キャップを取付け、回したときに、Ｌ字型の爪部が端部にぶつかり、それ以上回すことを防止するストッパーの役目を果たす。また、キャップを取外すときにも、切欠部の位置でＬ字型の爪部が端部にぶつかることとなるため、キャップが取外せる位置を容易に認識でき、着脱作業が簡便に行える。すなわち、キャップの操作性を向上させることができる。
【図面の簡単な説明】
【００１８】
【図１】本発明の容器の斜視図。
【図２】本発明の容器の分解斜視図。
【図３】図１の３−３線縦断面図。
【図４】（ａ）は本発明の蓋体の平面図、（ｂ）は（ａ）の４ｂ−４ｂ線縦断面図。
【図５】（ａ）は本発明のキャップの平面図、（ｂ）は（ａ）の５ｂ−５ｂ線縦断面図。
【図６】（ａ）は本発明のキャップの底面図、（ｂ）は（ａ）の６ｂ−６ｂ線縦断面図。
【図７】（ａ）、（ｂ）ともに、図３のＡ部拡大図。
【発明を実施するための形態】
【００１９】
以下、本発明の実施形態を図１〜７を参照して説明する。但し、本発明はこの実施形態に限定されるものではない。
【００２０】
図１は、本発明の電子レンジ調理用容器１０の斜視図である。図１に示すように、容器１０は、容器本体２０、蓋体３０、キャップ４０を具えている。容器本体２０、蓋体３０、キャップ４０はポリプロピレン等の耐熱性プラスチックを用いることがよく、また、容器本体２０を耐熱ガラスで形成することにより、容器本体２０を、電子レンジだけでなくオーブンで使用することも可能となる。
【００２１】
図２に示すように、容器本体２０と蓋体３０との密閉性を高めるために、パッキン５０を容器本体２０と蓋体３０の間に介在させるとよい。パッキン５０は容器本体２０又は蓋体３０に取付ける構成でも一体形成させる構成でもよいが、容器本体２０を耐熱ガラスで形成した場合は、オーブンでの使用時にパッキンが溶けないように、蓋体３０に取付ける、又は一体形成させることが好ましい。
【００２２】
また、容器本体２０及び蓋体３０に取っ手部２２、３２を設けることによって、パッキン５０を介在させることによって密閉性が高められていても、図１に示す状態から取っ手部２２、３２を左右にずらし、容器本体２０の片方の取っ手部２２を押さえ、同じ側の蓋体３０の取っ手部３２を押上げることによって、てこの原理を利用し、蓋体３０を容易に取外すことができる。
【００２３】
次に、図３に示すように、蓋体３０の空間の高さＬ２は容器本体２０の空間の高さＬ１と同等又はそれ以上であることが好ましい。このことにより、電子レンジでの加熱調理のときに、容器１０内部の熱や蒸気、圧力が容器１０内部に滞留することができ、収納部２４に収納される食材を、調理むらなくおいしく調理することができ、また、加熱によって沸騰する汁の容器１０外部への飛び散りを防止することができる。
【００２４】
次に、容器１０の蓋体３０及びキャップ４０の構造について説明する。図４に示すように、蓋体３０は、外側から、第一凹部３１、第二凹部３１ａ、第三凹部３１ｂを具え、第一凹部３１は、第二凹部３１ａの周りに蓋体蒸気排出口３６を５個、及び蓋体蒸気排出口３６に対応した調節用凹部３８を５個具えている。図４（ｂ）に示すように、蒸気排出口３６は蓋体の内部まで貫通しており、加熱調理時にこの蒸気排出口３６から蒸気が出ていくことになる。蓋体蒸気排出口３６の形状としては、図４に示すような、卵形の他に、円形、楕円形、扇形、長方形など、様々な形状とすることができる。また、第二凹部の周壁の上部には３つの切欠部３４ａを有する、水平方向の環状突部３４が設けられている。
【００２５】
図５、６は、容器１０のキャップ４０を表している。キャップ４０は、キャップ凹部４１を具え、そのキャップ凹部４１の内側にリブ状のつまみ部４２が設けられている。このようにつまみ部４２をキャップ凹部４１の内側に設けることによって、つまみ部の容器１０外部への出っ張りを抑えることができ、また、軸状のつまみ部に比べてつまみ易く、指からの力が伝わり易いため、キャップ４０を持ったり、回したりすることを容易に行うことができる。また、キャップ４０は、キャップ蒸気排出口４６、３つの外向きＬ字型の爪部４４を有し、図４（ａ）の調節用凹部３８に嵌合する調節用凸部４８が１つ設けられている。キャップ蒸気排出口４６の形状としては、図５に示すような、卵形の他に、円形、楕円形、扇形、長方形など、様々な形状とすることができる。図５（ａ）のＬ字型の爪部４４の周方向の長さは、図４（ａ）の蓋体３０の切欠部３４ａの周方向の長さよりも短く、また、キャップ４０の調節用凸部４８は、蓋体３０の調節用凹部３８に嵌合する大きさであればよい。
【００２６】
キャップ４０の３つの爪部４４が蓋体３０の３つの切欠部３４ａに嵌められ、キャップ４０が回されることによって、爪部４４が環状突部３４の下部へスライドし、爪部４４と環状突部３４が重なり合うことによって、キャップ４０は蓋体３０に取付けられる。しかも、キャップ４０の調節用凸部４８が図４（ａ）の蓋体の５つの調節用凹部３８に、カチカチと、段階的に嵌合することにより、キャップ蒸気排出口４６と蓋体蒸気排出口３６との開口具合を、クリック感をもって、段階的に調節することができる。容器１０の場合、キャップ蒸気排出口４６と蓋体蒸気排出口３６が全く重なっていない全閉状態、１つ乃至５つ重なっている５段階の開口状態の６段階調節ができる。容器１０では、単に、各蒸気排出口の開口と閉口とを切替えられるだけであるが、蓋体３０の調節用凹部３８を増やし、開口、半開口、閉口とを切替えられるようにするといった様々な段階調節ができる仕様にしてもよい。
【００２７】
また、図４に示すように、環状突部３４の一方の端部、図４（ａ）の場合、蓋体３０の中心から見た環状突部３４に対して右側の端部３４ｂが、第２凹部３１ａの底面まで連続して閉じられている。このため、キャップ４０を蓋体３０に取付け、キャップ４０を回す場合には、図５のキャップ４０の爪部４４が端部３４ｂにぶつかるまでキャップ４０を右方向に回すことが可能であり、また、キャップ４０を蓋体３０から取外す場合には、爪部４４が同じく端部３４ｂにぶつかるまで左方向に回してからキャップを引抜けばよい。すなわち、端部３４ｂを設けることによって、キャップ４０を取付けるときには、キャップ４０を回すことができる上限を知らせるストッパーとなり、キャップ４０を取外すときには、キャップ４０を取外すことができる位置を知らせるストッパーとなるため、キャップの操作性を向上させることができる。
【００２８】
キャップ４０を蓋体３０に取付けた状態の断面図を示しているのが図３である。図３に示すように、キャップ３０は、キャップ凹部４１によってできる下向きの凸部が第三凹部３１ｂに嵌合するように蓋体３０に取付けられる。図３に示すような、蓋体蒸気排出口３６とキャップ蒸気排出口４６とが重なっている場合は、加熱調理時に発生する蒸気は、両蒸気排出口３６、４６を通じて容器外部に放出される。また、とキャップ蒸気排出口４６が全く重なっていない全閉状態、すなわち、図７（ａ）に示すような、蓋体蒸気排出口３６がキャップ４０の周辺部で閉じられている状態であっても、Ｌ字型の爪部４４が、環状突部３４に当たるまで、蓋体３０に対して上方向に相対移動できるようにしておけば、電子レンジで加熱調理し、容器内部に蒸気が発生したときには、図７（ｂ）の矢印が示すように、蓋体蒸気排出口３６を通ってきた蒸気が、Ｌ字型の爪部４４が環状突部３４に当たるまで、キャップ４０を押上げ、その際にできるキャップ４０と第一凹部３１との隙間から蒸気が容器外部に出ることになる。このため、両蒸気排出口３６、４６が全閉状態であっても、加熱調理時の容器内部の蒸気圧の異常な高まりを抑え、蓋体３０やキャップ４０が蒸気圧により不用意に外れたり、具材や汁が容器の外に飛び散ることを防ぐことができる。内部の蒸気圧が元に戻れば、キャップ４０は降下して、容器内は、再び、密閉状態となる。
【００２９】
以上説明したように、本発明によれば、軸を有さないキャップの蓋体への取付構造であるため、キャップが軸を有する容器に比べて容器の破損を防止することができる。また、キャップ凹部の内側にリブ状のつまみ部を設け、第一凹部の底面に複数の調節用凹部と、第一凹部と向かい合うキャップ凹部の周りに調節用凹部と嵌合する少なくとも１つの調節用凸部を設け、また、環状突部の一方の端部が、第二凹部の底面まで連続して閉じられていることにより、キャップが回し易くなり、且つ、キャップの操作性が向上し、キャップの装着、着脱作業及び加熱調理時の蒸気の排出量の調節を簡便に行うことができる。
【符号の説明】
【００３０】
１０    電子レンジ調理用容器
２０    容器本体
２４    収納部
３０    蓋体
３１    第一凹部
３１ａ  第二凹部
３１ｂ  第三凹部
３４    環状突部
３４ａ  切欠部
３４ｂ  端部
３６    蓋体蒸気排出口
３８    調節用凹部
４０    キャップ
４１    キャップ凹部
４２    つまみ部
４４    爪部
４６    キャップ蒸気排出口
４８    調節用凸部
【図１】
2013034692.tif 000003
【図２】
2013034692.tif 000004
【図３】
2013034692.tif 000005
【図４】
2013034692.tif 000006
【図５】
2013034692.tif 000007
【図６】
2013034692.tif 000008
【図７】
2013034692.tif 000009